(57)【要約】【課題】  モジュールを安全に且つ正確に連結、固定する。【解決手段】  フレーム（３）への、適切には手押し車の中央ステム（２）への確保用のブラケット（３０）であって、好ましくはステム（２）の軌道（５）内に把持することにより、ステム（２）に摺動可能に連結されたアーム（３１）、及びベビーシートのようなモジュール（４０）をブラケット（３０）上に取り付けるための２個の平行で上向きのガイド（３３）を備えたブラケット（３０）である。【選択図】  図５
0003102656.tif 000002
【実用新案登録請求の範囲】
【請求項１】
フレーム（３）への、適切には手押し車の中央ステム（２）への確保用のブラケット（３０）であって、好ましくはステム（２）の軌道（５）内に把持することにより、ステム（２）に摺動可能に連結されたアーム（３１）、及びベビーシートのようなモジュール（４０）をブラケット（３０）上に取り付けるための２個の平行で上向きのガイド（３３）を備えたブラケット（３０）。
【請求項２】
ガイド（３３）、及び／又はモジュール（４０）が、モジュール（４０）をブラケット（３０）に取外し可能に確保するための固定用手段を備える請求項１によるブラケット（３０）。
【請求項３】
固定用手段もまたブラケット（３０）に関するモジュール（４０）の傾きを許す請求項２によるブラケット（３０）。
【請求項４】
ブラケット（３０）が、モジュール（４０）の溝（４２）に対応し、或いはその逆で、モジュール（４０）を希望の傾き位置に固定できる固定用ピン（３６）のような固定用手段を備える請求項３によるブラケット（３０）。
【請求項５】
ガイド３３が、前向き位置又は後向き位置のようないずれの方向でもモジュール（４０）を連結することを許す請求項１−４のいずれかによるブラケット（３０）。
【請求項６】
請求項１−５のいずれかによるブラケット（３０）のガイド（３３）に適合するようにされた溝を備えたベビーシートのようなモジュール（４０）。
【請求項７】
請求項４によるブラケットの固定用ピン（３６）に適合するようにされた溝（３４）を備えたベビーシートのようなモジュール（４０）。
【考案の詳細な説明】
【技術分野】
【０００１】
本考案は、ベビーシートのような種々の対象物を、例えば、小児用又は乳児用の手押し車のフレームのステムのような中央ステムに確保できるブラケットに関する。
【背景技術】
【０００２】
乳児用の種々の手押し車はモジュールに基づき、これにおいてはシート又はベビーバッグは手押し車のフレームから取り外すことができる。これらモジュールは種々の固定用装置により確保される。しかし、これら装置は小さくかつ解放又は解錠が困難であることが多い。これは、例えば小児又は乳児がシートを解錠することを防ぐため、或いはモジュールの不慮の解錠を避けるために意図された。その結果、従来技術の固定用装置及びモジュールシステムは、一般に操作するのが難しい。このため、モジュールを安全かつ正確に一緒に連結し固定することについての努力が要求される。
【０００３】
更に、現在のモジュールシステムは、特許文献１に説明されたような中央主ステムを有する手押し車に使用するには適さない。
【特許文献１】国際公開第０３／０３５４４８号  明細書
【考案の開示】
【課題を解決するための手段】
【０００４】
本考案は、フレーム、特に手押し車の中央ステムに確保するためのアーム、及びベビーシートのようなモジュールをブラケット上に取り付けかつ固定するための２個の平行な上向きガイドを備えるブラケットを提供する。モジュールは、適合用の溝が設けられ、そしてガイド上に降ろすことができる。アームは、手押し車のフレームの周りを把握し又はこの中に部分的に入り込み、ブラケットの確保された主ステム上を摺動して昇降することを許し、更にブラケットを希望の高さ位置に固定できる固定用装置を備えたブラケットを提供する。
【０００５】
ガイドは、シートを、ブラケットに関して、従ってフレームの支えに関して傾けることを許す固定用装置を備えることが好ましい。
【実施例】
【０００６】
図１に示されるように、ブラケット３０はフレーム３に確保され、このフレームは適切には中央ステム２を有する手押し車１のフレームであり、ブラケット３０は、この例においてはベビーシートであるモジュール４０を、フレーム３に取外し可能にドッキングさせかつ確保するように意図される。
【０００７】
ブラケット３０は、図２に示されるようにシート４０を種々の高さに調節することができ、更に小児／乳児の着座位置を適切に調節するためにシート４０を傾けることができる。
【０００８】
ブラケット３０は、図３及び４に示されるように、モジュールを一つ以上の方向で受け入れ得ることが適切である。
【０００９】
ブラケット３０はアーム３１を備え、このアームは、図５に示されるように、ステム２の軌道５内に把持することにより、主ステム２に摺動可能に連結される。レバー３２は、図５及び６に示されるようにブラケット３０をステム２の溝６に対して押し付けつつ、図６に示されるように希望の高さでステム２を固定することができる。
【００１０】
ブラケット３０は、２個の平行な上向きのガイド３３を備え、この上にベビーシート４０のようなモジュールを降ろして固定することができる。ガイド３３は、平行かつ対称であって、シート４０をどの方向においても、この手押し車（１）の場合は、前向き位置又は後向き位置の両方で、ブラケット３０に連結できることが好ましい。
【００１１】
ブラケット３０及びベビーシート４０のようなモジュール自体に、モジュール４０をブラケット３０に関して傾けられた位置で固定する協同固定用装置が設けられることが好ましい。これにより、シートを、乳児又は小児の着座位置又は睡眠位置に、或いはその他の適宜の位置に調節することができる。希望位置にシートを固定するために、ブラケット３０には、図７に示されるようにハンドル３５が設けられ、図９に示されるように固定用ピン３６をシートの対応した溝４２と相互連結させる。モジュール４０、ブラケット３０及びこれらに固定されたフレーム３を収納するときは、空間を節約するために、モジュール４０もまた傾けることができる。
【図面の簡単な説明】
【００１２】
【図１】ブラケット及びシートを有する手押し車の側面図を示す。
【図２】ブラケットが別の高さ位置にある状態の図１の手押し車を示す。
【図３】シートが別の方向に向いている状態の図１の手押し車を示す。
【図４】シートが傾けられた位置にある状態の図３の手押し車を示す。
【図５】ブラケットの側面図を示す。
【図６】ブラケットの斜視図を示す。
【図７】ブラケットの正面図を示す。
【図８】ブラケットの背面図を示す。
【図９】ステムに確保されたブラケットを描いている断面図である。
【符号の説明】
【００１３】
２  ステム
３  フレーム
６  溝
３０  ブラケット
３５  ハンドル
４０  モジュール
【図１】
0003102656.tif 000003
【図２】
0003102656.tif 000004
【図３】
0003102656.tif 000005
【図４】
0003102656.tif 000006
【図５】
0003102656.tif 000007
【図６】
0003102656.tif 000008
【図７】
0003102656.tif 000009
【図８】
0003102656.tif 000010
【図９】
0003102656.tif 000011